(57)【特許請求の範囲】
【請求項１】
ネットワークを介して、互いにデータ通信可能に接続された画像形成装置およびサーバとで構築される著作物の複写システムにおいて、
前記画像形成装置は、
原稿を読み取り、読み取った原稿が、著作物取り出しシートであるか否かを判断する判断手段と、
前記判断手段により著作物取り出しシートであると判断された場合に、当該著作物取り出しシートに印字されている著作物および当該著作物に対する操作内容を選択する選択手段と、
当該著作物取り出しシートに印字されているバーコードから著作物を管理しているサーバを特定するための権利者情報および著作物を識別するための著作物情報を取得するバーコード情報取得手段と、
前記選択手段で、著作権に抵触する操作内容が選択された場合に、使用者に著作権料が加算されてもよいという許諾を得るための許諾画面を表示する許諾画面表示手段と、
前記許諾画面で使用者の許諾を得られた場合に、前記著作物取り出しシートに印字されているバーコードから権利者情報及び著作物情報を取得し、前記権利者情報で特定されるサーバに、前記著作物情報を送信して、前記著作物情報に対応する著作物の送信を依頼する依頼手段と、
前記依頼に応じて、前記権利者情報で特定されるサーバから送信されてくるデジタル化された著作物を印刷する印刷手段と、
を含み、
前記サーバは、前記画像形成装置から著作物の送信依頼を受けた場合に、受信した著作物情報に対応するデジタル化された著作物を検索して、前記画像形成装置に送信することを特徴とする著作物の複写システム。
【請求項２】
前記著作物取り出しシートには、当該著作物取り出しシートに印字されている著作物および当該著作物に対する操作内容を選択するための記入欄が印字されており、前記選択手段は、読み取られた著作物取り出しシートの前記記入欄の記入を検出して、著作物および当該著作物に対する操作内容を選択することを特徴とする請求項１に記載の著作物の複写システム。
【請求項３】
前記バーコードには、当該著作物取り出しシートに印字されている著作物および当該著作物に対する操作内容を選択する選択画面を表示するための処理コードが印字されており、前記選択手段は、前記処理コードに基づいて、ユーザに当該著作物取り出しシートに印字されている著作物および当該著作物に対する操作内容を選択するための選択画面を前記表示手段に表示し、当該選択画面でユーザにより選択される著作物および当該著作物に対する操作内容を選択することを特徴とする請求項１に記載の著作物の複写システム。
【請求項４】
著作物を管理するサーバと、ネットワークを介して、互いにデータ通信可能に接続された画像形成装置において、
原稿を読み取り、読み取った原稿が、著作物取り出しシートであるか否かを判断する判断手段と、
前記判断手段により著作物取り出しシートであると判断された場合に、当該著作物取り出しシートに印字されている著作物および当該著作物に対する操作内容を選択する選択手段と、
当該著作物取り出しシートに印字されているバーコードから著作物を管理しているサーバを特定するための権利者情報と著作物情報を取得するバーコード情報取得手段と、
前記選択手段で、著作権に抵触する操作内容が選択された場合に、使用者に著作権料が加算されてもよいという許諾を得るための許諾画面を表示する許諾画面表示手段と、
前記許諾画面で使用者の許諾が得られた場合に、前記著作物取り出しシートに印字されているバーコードから権利者情報及び著作物情報を取得し、前記権利者情報で特定されるサーバに、前記著作物情報を送信して、前記著作物情報に対応する著作物の送信を依頼する依頼手段と、
前記依頼に応じて、前記権利者情報で特定されるサーバから送信されてくるデジタル化された著作物を印刷する印刷手段と、
を備えたことを特徴とする画像形成装置。
【請求項５】
原稿を読み取り、読み取った原稿が、著作物取り出しシートであるか否かを判断する工程と、
前記著作物取り出しシートであると判断された場合に、当該著作物取り出しシートに印字されている著作物および当該著作物に対する操作内容を選択する工程と、
当該著作物取り出しシートに印字されているバーコードから著作物を管理しているサーバを特定するための権利者情報および著作物を特定するための著作物情報を取得する工程と、
著作権に抵触する操作内容が選択された場合に、使用者に著作権料が加算されてもよいという許諾を得るための許諾画面を表示する工程と、
前記許諾画面で使用者の許諾が得られた場合に、前記著作物取り出しシートに印字されているバーコードから権利者情報及び著作物情報を取得し、前記権利者情報で特定されるサーバに、前記著作物情報を送信して、前記著作物情報に対応する著作物の送信を依頼する工程と、
前記依頼に応じて、前記権利者情報で特定されるサーバから送信されてくるデジタル化された著作物を印刷する工程と、
を含むことを特徴とする画像形成方法。
【請求項６】
コンピュータが実行するためのプログラムにおいて、
原稿を読み取り、読み取った原稿が、著作物取り出しシートであるか否かを判断する工程と、
前記著作物取り出しシートであると判断された場合に、当該著作物取り出しシートに印字されている著作物および当該著作物に対する操作内容を選択する工程と、
当該著作物取り出しシートに印字されているバーコードから著作物を管理しているサーバを特定するための権利者情報および著作物を特定するための著作物情報を取得する工程と、
著作権に抵触する操作内容が選択された場合に、使用者に著作権料が加算されてもよいという許諾を得るための許諾画面を表示する工程と、
前記許諾画面で使用者の許諾が得られた場合に、前記著作物取り出しシートに印字されているバーコードから権利者情報及び著作物情報を取得し、前記権利者情報で特定されるサーバに、前記著作物情報を送信して、前記著作物情報に対応する著作物の送信を依頼する工程と、
前記依頼に応じて、前記権利者情報で特定されるサーバから送信されてくるデジタル化された著作物を印刷する工程と、
をコンピュータが実行するためのプログラム。
【発明の詳細な説明】
【０００１】
【発明の属する技術分野】
本発明は、著作物の複写システム、画像形成装置、画像形成方法、およびその方法をコンピュータが実行するためのプログラムに関し、より詳細には、画像形成装置で、サーバから配信されるデジタル化された著作物を印刷する著作物の複写システム、画像形成装置、画像形成方法、およびその方法をコンピュータが実行するためのプログラムに関する。
【０００２】
【従来の技術】
近年、たとえば音楽のデジタル配信や電子書籍の販売に代表されるように、著作物のデジタルコンテンツ化が進んでいる。デジタル化された著作物は、ネットワークを介して送受信が行われており、この著作物の違法コピー防止の要求が高くなっている。他方、著作権者にとっては、著作物をより多くの人に配布し、多くの著作権料を徴収することが重要であり、著作物の利用の把握とその効率的な配布方法に関心が高い。また、利用者は容易に著作物を取得することを希望している。
【０００３】
従来、複写機やコンピュータと連動したプリンティングシステムのような複写システムにおいては、紙面上の著作物の違法コピーを防止するために、複写の対象となる印刷用紙に著作物であることを認識できる暗号やマークを識別画像として埋め込み、これら識別画像を複写が行われるプロセス中で検出した場合に、複写を禁止するなどの方法が採られていた。
【０００４】
例えば、違法コピーを防止する技術として、特開２０００−１６５６６８号公報の画像処理装置が開示されている。同公報の画像処理装置では、ユーザ側の端末装置から画像データが送信され、画像データを出力装置で印刷する際に、送信された画像中に著作権物情報が存在するか否かを判断し、この判断結果により印刷の禁止をする。そして、ユーザ側の端末からの暗証番号と画像中に存在する暗証番号とを比較し、両者が一致した場合に画像データの印刷禁止を解除している。
【０００５】
【発明が解決しようとする課題】
しかしながら、上記従来技術では、著作物を配布し配布された著作物のコピー利用量を把握し、さらに著作権料を徴収することは容易ではないという問題がある。
【０００６】
本発明は、上記に鑑みてなされたものであり、違法コピーを防止しつつ、著作物の配信を容易にして、著作物の利用量に応じて課金を行うことが可能な著作物の複写システム、画像形成装置、画像形成方法、およびその方法をコンピュータが実行するためのプログラムを提供することを目的とする。
【０００７】
【課題を解決するための手段】
上記目的を達成するために、本発明は、ネットワークを介して、互いにデータ通信可能に接続された画像形成装置およびサーバとで構築される著作物の複写システムにおいて、前記画像形成装置は、原稿を読み取り、読み取った原稿が、著作物取り出しシートであるか否かを判断する判断手段と、前記判断手段により著作物取り出しシートであると判断された場合に、当該著作物取り出しシートに印字されている著作物および当該著作物に対する操作内容を選択する選択手段と、当該著作物取り出しシートに印字されているバーコードから著作物を管理しているサーバを特定するための権利者情報および著作物を識別するための著作物情報を取得するバーコード情報取得手段と、前記選択手段で、前記サーバから著作物のダウンロードが必要な操作内容が選択された場合に、ユーザが著作物の使用を許諾するか否かを選択するための許諾画面を表示する許諾画面表示手段と、ユーザが前記許諾画面で著作物の使用を許諾した場合に、前記権利者情報で特定されるサーバに、前記選択手段で選択された著作物の著作物情報を送信して、著作物の送信を依頼する依頼手段と、前記依頼に応じて、前記権利者情報で特定されるサーバから送信されてくるデジタル化された著作物を印刷する印刷手段と、を含み、前記サーバは、前記画像形成装置から著作物の送信依頼を受けた場合に、受信した著作物情報に対応するデジタル化された著作物を検索して、前記画像形成装置に送信するものである。
【０００８】
上記発明によれば、画像形成装置では、判断手段は、原稿を読み取り、読み取った原稿が、著作物取り出しシートであるか否かを判断し、選択手段は、判断手段により著作物取り出しシートであると判断された場合に、当該著作物取り出しシートに印字されている著作物および当該著作物に対する操作内容を選択し、バーコード情報取得手段は、当該著作物取り出しシートに印字されているバーコードから著作物を管理しているサーバを特定するための権利者情報および著作物を識別するための著作物情報を取得し、許諾画面表示手段は、選択手段によりサーバから著作物のダウンロードが必要な操作内容が選択された場合に、ユーザが著作物の使用を許諾するか否かを選択するための許諾画面を表示し、依頼手段は、ユーザが前記許諾画面で著作物の使用を許諾した場合に、権利者情報で特定されるサーバに、前記選択手段で選択された著作物の著作物情報を送信して、著作物の送信を依頼し、印刷手段は、依頼に応じて、権利者情報で特定されるサーバから送信されてくるデジタル化された著作物を印刷し、他方、サーバは、画像形成装置から著作物の送信依頼を受けた場合に、受信した著作物情報に対応するデジタル化された著作物を検索して、前記画像形成装置に送信する。
【０００９】
また、本発明においては、前記著作物取り出しシートには、当該著作物取り出しシートに印字されている著作物および当該著作物に対する操作内容を選択するための記入欄が印字されており、前記選択手段は、読み取られた著作物取り出しシートの前記記入欄の記入を検出して、著作物および当該著作物に対する操作内容を選択するものである。
【００１０】
上記発明によれば、著作物取り出しシートに、当該著作物取り出しシートに印字されている著作物および当該著作物に対する操作内容を選択するための記入欄を印字しておき、画像形成装置の選択手段は、著作物取り出しシートの記入欄の記入を検出して、著作物および当該著作物に対する操作内容を選択する。
【００１１】
また、発明においては、前記バーコードには、当該著作物取り出しシートに印字されている著作物および当該著作物に対する操作内容を選択する選択画面を表示するための処理コードが印字されており、前記選択手段は、前記処理コードに基づいて、ユーザに当該著作物取り出しシートに印字されている著作物および当該著作物に対する操作内容を選択するための選択画面を前記表示手段に表示し、当該選択画面でユーザにより選択される著作物および当該著作物に対する操作内容を選択するものである。
【００１２】
上記発明によれば、著作物取り出しシートのバーコードに、当該著作物取り出しシートに印字されている著作物および当該著作物に対する操作内容を選択する選択画面を表示するための処理コードを印字しておき、画像形成装置の選択手段は、前記処理コードに基づいて、ユーザに当該著作物取り出しシートに印字されている著作物および当該著作物に対する操作内容を選択するための選択画面を前記表示手段に表示し、当該選択画面でユーザにより選択される著作物および当該著作物に対する操作内容を選択する。
【００１３】
また、本発明においては、著作物を管理するサーバと、ネットワークを介して、互いにデータ通信可能に接続された画像形成装置において、原稿を読み取り、読み取った原稿が、著作物取り出しシートであるか否かを判断する判断手段と、前記判断手段により著作物取り出しシートであると判断された場合に、当該著作物取り出しシートに印字されている著作物および当該著作物に対する操作内容を選択する選択手段と、当該著作物取り出しシートに印字されているバーコードから著作物を管理しているサーバを特定するための権利者情報と著作物情報を取得するバーコード情報取得手段と、前記選択手段で、前記サーバからの著作物のダウンロードが必要な操作内容が選択された場合に、ユーザが著作物の使用を許諾するか否かを選択するための許諾画面を表示する許諾画面表示手段と、ユーザが著作物の使用を許諾した場合に、前記権利者情報で特定されるサーバに、前記選択手段で選択された著作物の著作物情報を送信して、著作物の送信を依頼する依頼手段と、前記依頼に応じて、前記権利者情報で特定されるサーバから送信されてくるデジタル化された著作物を印刷する印刷手段と、を備えたものである。
【００１４】
上記発明によれば、判断手段は、原稿を読み取り、読み取った原稿が、著作物取り出しシートであるか否かを判断し、選択手段は、判断手段により著作物取り出しシートであると判断された場合に、当該著作物取り出しシートに印字されている著作物および当該著作物に対する操作内容を選択し、バーコード情報取得手段は、当該著作物取り出しシートに印字されているバーコードから著作物を管理しているサーバを特定するための権利者情報および著作物を識別するための著作物情報を取得し、許諾画面表示手段は、選択手段によりサーバから著作物のダウンロードが必要な操作内容が選択された場合に、ユーザが著作物の使用を許諾するか否かを選択するための許諾画面を表示し、依頼手段は、ユーザが前記許諾画面で著作物の使用を許諾した場合に、権利者情報で特定されるサーバに、前記選択手段で選択された著作物の著作物情報を送信して、著作物の送信を依頼し、印刷手段は、依頼に応じて、権利者情報で特定されるサーバから送信されてくるデジタル化された著作物を印刷する。
【００１５】
また、本発明においては、原稿を読み取り、読み取った原稿が、著作物取り出しシートであるか否かを判断する工程と、前記著作物取り出しシートであると判断された場合に、当該著作物取り出しシートに印字されている著作物および当該著作物に対する操作内容を選択する工程と、当該著作物取り出しシートに印字されているバーコードから著作物を管理しているサーバを特定するための権利者情報および著作物を特定するための著作物情報を取得する工程と、サーバからの著作物のダウンロードが必要な操作内容が選択された場合に、ユーザが、著作物の使用を許諾するか否かを選択するための許諾画面を表示する工程と、ユーザが著作物の使用を許諾した場合に、前記権利者情報で特定されるサーバに、前記選択された著作物の著作物情報を送信して、著作物の送信を依頼する工程と、前記依頼に応じて、前記権利者情報で特定されるサーバから送信されてくるデジタル化された著作物を印刷する工程と、を含むものである。
【００１６】
上記発明によれば、原稿を読み取り、読み取った原稿が、著作物取り出しシートであるか否かを判断し、著作物取り出しシートであると判断された場合に、当該著作物取り出しシートに印字されている著作物および当該著作物に対する操作内容を選択し、当該著作物取り出しシートに印字されているバーコードから著作物を管理しているサーバを特定するための権利者情報および著作物を特定するための著作物情報を取得し、サーバからの著作物のダウンロードが必要な操作内容が選択された場合に、ユーザが、著作物の使用を許諾するか否かを選択するための許諾画面を表示し、ユーザが著作物の使用を許諾した場合に、権利者情報で特定されるサーバに、選択された著作物の著作物情報を送信して、著作物の送信を依頼し、依頼に応じて、権利者情報で特定されるサーバから送信されてくるデジタル化された著作物を印刷する。
【００１７】
また、本発明においては、コンピュータが実行するためのプログラムにおいて、原稿を読み取り、読み取った原稿が、著作物取り出しシートであるか否かを判断する工程と、前記著作物取り出しシートであると判断された場合に、当該著作物取り出しシートに印字されている著作物および当該著作物に対する操作内容を選択する工程と、当該著作物取り出しシートに印字されているバーコードから著作物を管理しているサーバを特定するための権利者情報と著作物を識別するための著作物情報を取得する工程と、サーバからの著作物のダウンロードが必要な操作内容が選択された場合に、ユーザが、著作物の使用を許諾するか否かを選択するための選択画面を表示する工程と、ユーザが著作物の使用を許諾した場合に、前記権利者情報で特定されるサーバに、前記選択された著作物の著作物情報を送信して、著作物の送信を依頼する工程と、前記依頼に応じて、前記権利者情報で特定されるサーバから送信されてくるデジタル化された著作物を受信して印刷する工程と、をコンピュータが実行するためのプログラムである。
【００１８】
上記発明によれば、コンピュータがプログラムを実行することにより、原稿を読み取り、読み取った原稿が、著作物取り出しシートであるか否かを判断する工程と、前記著作物取り出しシートであると判断された場合に、当該著作物取り出しシートに印字されている著作物および当該著作物に対する操作内容を選択する工程と、当該著作物取り出しシートに印字されているバーコードから著作物を管理しているサーバを特定するための権利者情報と著作物を識別するための著作物情報を取得する工程と、サーバからの著作物のダウンロードが必要な操作内容が選択された場合に、ユーザが、著作物の使用を許諾するか否かを選択するための選択画面を表示する工程と、ユーザが著作物の使用を許諾した場合に、前記権利者情報で特定されるサーバに、前記選択された著作物の著作物情報を送信して、著作物の送信を依頼する工程と、前記依頼に応じて、前記権利者情報で特定されるサーバから送信されてくるデジタル化された著作物を受信して印刷する工程と、を実現する。
【００１９】
【発明の実施の形態】
以下、図面を参照して、本発明にかかる著作物の複写システム、画像形成装置、画像形成方法、およびその方法をコンピュータが実行するためのプログラムの好適な実施の形態を、（実施の形態１）、（実施の形態２）、（実施の形態３）を参照して説明する。
【００２０】
実施の形態１を、［実施の形態１の著作物の複写システム］、［複写機の構成］、［権利者サーバの構成］、［実施の形態１の著作物の複写システムの動作例］の順に詳細に説明する。なお、本発明における画像形成装置とは、少なくとも、スキャナユニットとプリンタユニットを有する装置をいい、本実施の形態では、画像形成装置として複写機を例に挙げて説明する。例えば、パーソナルコンピュータに、スキャナユニットとプリンタユニットを接続したシステムは、本発明の画像形成装置に含まれる。
【００２１】
［著作物の複写システムの構成］
図１は、実施の形態１にかかる著作物の複写システムの構築例を示す図である。同図において、１は、コンビニエンスストアなどの店舗を示しており、この店舗には、複写機１１、複写機１２、コンピュータの店舗端末１３が設けられており、互いに、ＬＡＮなどの通信手段によって相互利用可能に接続されている。なお、以下、これら店舗におかれる機器群を「店舗機器」と称する。
【００２２】
２は、著作権を管理する権利業者であり、権利者サーバ２１、２２、２３を備えている。権利者サーバ２１、２２、２３は、著作物認識コード（ＩＤ：著作物識別情報）に対応させてデジタル化された著作物を保存している。権利者サーバ２１、２２、２３は、著作権業界単位で管理する場合や複数の著作権（たとえば音楽と書籍）に関する著作物などを集約して設置する場合等がある。店舗１内の各装置１１〜１３と権利者サーバ２１〜２３は、互いに、ネットワークを介してデータ通信可能となっている。
【００２３】
上記構成の著作物の複写システムでは、店舗１内の各装置１１〜１３は、著作権読み取りシート（図４参照）を利用し、権利者サーバ２１〜２３にアクセスして、デジタル化された著作物（デジタルコンテンツ）をダウンロードして印刷等を行う。以下の説明では、店舗機器として複写機１１、１２を中心に説明する。
【００２４】
［複写機の構成］
図１の複写機１１と複写機１２の構成について説明する。図１の複写機１１と複写機１２は同一のハードウエア構成となっているので、ここでは便宜上、複写機１１について説明する。図２は、図１の複写機１１のシステム構成を示すブロック図である。複写機１１は、制御部１０１、スキャナユニット１０２、ＤＲＡＭ１０３、操作部１０５、表示部１０６、通信制御部１０７、プリンタユニット１０８、フロッピーディスクドライブ１０９とを備えている。各部はバスを介して互いに接続されており、このバスを介して、コマンドや画像データの転送が行われる。
【００２５】
スキャナユニット１０２は、光源を原稿に照射し、その反射光を固体撮像素子（ＣＣＤ）で画像データに変換し、シエーディング補正やＭＴＦ補正等をおこなった後、ＤＲＡＭ１０３に書き込む。
【００２６】
制御部１０１は、電気的に消去・書換可能な記録媒体１０１ｃ（例えば、Ｆｌａｓｈ  ＲＯＭ）に格納された各種制御プログラムに従って、複写機の各部を制御するＣＰＵ１０１ａと、上述の制御プログラムが格納されている記録媒体１０１ｃと、ＣＰＵ１０１ａのワークエリアとして使用されるＲＡＭ１０１ｂを備えている。記録媒体１０１ｃに格納されている制御プログラムは、通信回線を介して配信可能である。
【００２７】
また、制御部１０１は、例えば、複写モードを実行する上で、プリンタユニット１０８で画像形成するために、紙搬送処理、電子写真プロセス処理、異常状態や給紙カセット状態（紙の有無など）等の機内監視、およびスキャナユニット１０２で画像を読み取るためにスキャナ動作や光源のＯＮ／ＯＦＦ等を制御する。また、制御部１０１は、スキャナユニット１０２で読み取られてＤＲＡＭ１０３に格納された原稿画像が著作物取り出しシート（図４参照）であるか否かを判断して、著作物取り出しシートでない場合には、通常の複写モードを実行する一方、著作物取り出しシートである場合には、特異動作モード（図６参照）を実行する。
【００２８】
制御部１０１は、特異動作モードでは、著作物取り出しシートに記入された選択内容（著作物およびその操作内容）を検出し、著作権に抵触する操作内容（著作物のダウンロードが必要な操作内容）が選択された場合には、使用者に許諾を得るための許諾画面を表示し、使用者の許諾が得られた場合には、著作物取り出しシートのバーコードから権利元のサーバのＵＲＩ（権利者情報）や著作物識別コード（ＩＤ：著作物情報）を取得し、権利者情報で特定される権利者サーバに、利用者の情報と選択された著作物の著作物認識コードを送信し、権利者サーバから著作物識別コード（ＩＤ：著作物情報）に対応するデジタル化された著作物（デジタルコンテンツ）をダウンロードして印刷等を行う。
【００２９】
ＤＲＡＭ１０３は、スキャナユニット１０２で読み取られた画像データや、通信制御部１０７を介して受信したデータを一時的に格納する。操作部１０５は、ユーザが複写機に動作指示を与えるための各種ボタンを供えている。表示部１０６は、必要な情報や画像データを表示する。プリンタユニット１０８は、レーザー光学系やプリンタエンジンを備え、画像データを電子写真方式で記録紙に印刷する。通信制御部１０７は、外部とのデータ通信を制御する。
【００３０】
［権利者サーバの構成］
権利者サーバ２１、２２、２３は、同一のハードウエア構成となっているので、ここでは便宜上、権利者サーバ２１について説明する。図３は、図１の権利者サーバ２１の構成例を示すブロック図である。権利者サーバ２１は、通信制御部２０１、制御部２０２、プログラム記憶部２０３、著作物記憶部２０４、アクセス情報記憶部２０５とを備えている。各部は、バスを介して互いに接続されている。
【００３１】
通信制御部２０１は、ネットワークを介して接続される装置とデータ通信する際にデータ通信を制御する。制御部２０２は、ＣＰＵやＲＡＭ等から構成され、プログラム記憶部２０３に記録されたプログラムに従って、各部の制御や、データの転送、種々の演算、データの一時的な格納等を行う。
【００３２】
プログラム記憶部２０３は、制御部２０２で実行するための各種プログラムやデータが記憶されている。また、プログラム記憶部２０３の記録媒体としては、例えば、フロッピーディスク、ハードディスク、ＣＤ−ＲＯＭ、ＤＶＤ−ＲＯＭ、ＭＯやＰＣカード等の光学的・磁気的・電気的な記録媒体を使用することができる。また、プログラム記憶部２０３に格納されたプログラムはネットワークを介して配信可能である。
【００３３】
著作物記憶部２０４は、著作物認識コード（ＩＤ：著作物情報）に対応させて、デジタル化された著作物（デジタルコンテンツ）を格納している。アクセス情報記憶部２０５には、配信したデジタル化された著作物の著作物認識コード（ＩＤ）と、配信先の利用者の情報とを対応づけて記憶している。上記制御部２０２は、店舗１の店舗機器から著作物認識コード（ＩＤ）および利用者の情報を受信すると、著作物記憶部２０４から、受信した著作物認識コード（ＩＤ）に対応するデジタル化された著作物を読み出して、通信制御部２０１を介して店舗１の店舗機器（要求元）に送信する。そして、制御部２０２は、受信した使用者の情報と送信したデジタル化された著作物の著作物認識コード（ＩＤ）を対応させてアクセス情報記憶部２０５に記憶する。
【００３４】
［著作物の複写システムの動作例］
つぎに、図１の著作物の複写システムの動作例を図４〜図８を参照して説明する。図４は、実施の形態１の著作物取り出しシートの一例を示している。同図は、ＣＤの歌詞カードを取り扱う著作物取り出しシートを示している。なお、著作物取り出しシートとしては、ＣＤ歌詞カードに限定されず、一般的な著作物を扱うものであれば如何なるものでも良い。例えば、書籍・図面・楽譜・ブロマイド・音楽・絵画・論文・ソフトウエアなどに適用することができる。
【００３５】
著作物取り出しシートには、図４に示すように、著作物を管理するための管理情報が格納されているバーコード▲１▼、著作物の概要が記載されている著作物のコンテンツ情報▲２▼、著作物取り出しシートに記載されている著作物に対する操作内容を選択（著作物に対するアクセス手段を選択）するための操作選択用記入欄▲３▼、著作物を選択するための著作物選択用記入欄▲４▼が印刷されている。
【００３６】
バーコード▲１▼には、著作物取り出しシートに記載されている著作物を特定するための著作物認識コードや著作物の著作権を所有／管理する権利者サーバの権利者情報が格納されている。
【００３７】
図５は、バーコード▲１▼のフォーマットの一例を示す図である。バーコード▲１▼は、所定のフォーマットとなっており、著作物の著作権を所有／管理する権利者サーバのＵＲＩ（権利者情報）、著作物取り出しシート上に記載されている著作物を特定するための著作物認識コード（ＩＤ：著作物情報）を含んでいる。
【００３８】
操作選択用記入欄▲３▼は、著作物に対する操作内容を選択するためのものであり、図４に示す例では、操作内容として、”このプリンタで印刷（カラー）［選択した著作物のデジタルコンテンツをダウンロードしてカラー印刷するという意味である］”、”隣のプリンタで印刷（モノクロ）［選択した著作物のデジタルコンテンツをダウンロードしてモノクロ印刷するという意味である］”、”ファイルとしてダウンロード［選択した著作物のデジタルコンテンツをダウンロードしてファイルとしてフロッピーに保存するという意味である］”、”このシートをダウンロード［この著作物取り出しシートをダウンロードしてフロッピーディスクに保存という意味である］”、”このシートの複製印刷［原稿の著作物取り出しシートを複写するという意味である］”が選択できるようになっている。
【００３９】
著作物のコンテンツ情報▲２▼には、図４に示すように、著作物に関する情報（著者や構成要素）などが記載されている。なお、著作物のコンテンツ情報▲２▼には、著作者が無料で複写許可する著作物の一部を記載することにしても良い。なお、著作物選択用記入欄▲４▼は、著作物取り出しシートに１つの著作物情報しか存在しない場合には印刷されない。
【００４０】
本著作物取り出しシートは、印刷物として配布したり、ネットワークを介して、電子データとして配布することができる。電子データとして配布した場合には、プリンタや複写機で印刷出力して使用する。
【００４１】
なお、図４に示す著作物取り出しシートでは、複数の著作物を扱っているが、１つの著作物を扱うことにしても良い。以下の説明では、図４の著作物取り出しシートを使用して、複写機１１で著作物の印刷を行う場合を説明する。図６は、図１の著作物の複写システムの動作例を説明するためのフローチャートである。
【００４２】
図１の店舗１において、利用者は、まず、図４の著作物取り出しシートで、入手したい情報の著作物選択用記入欄▲４▼に、何らかのマーク（たとえば、チェックや×）を記入し、さらに、操作選択用記入欄▲３▼で、希望する操作内容に同様のマークを記入する。そして、記入した著作物取り出しシートを、複写機１１の原稿読み取り台に載置して、操作部１０５のスタートキーを押下する。
【００４３】
図６において、複写機１１では、まず、スキャナユニット１０２により、原稿（著作物取り出しシート）をスキャンして、原稿の画像データの読み取りを行い（ステップＳ１）、読み取られた画像データはＤＲＡＭ１０３に格納される。ついで、制御部１０１は、読み取った原稿画像に、上述の所定のフォーマットのバーコードが有るか否かを判断して、読み取った原稿が著作物取り出しシートであるか否かを判断する（ステップＳ２）。具体的には、制御部１０１は、バーコードの領域分離、スキュー補正・方向補正・デコード処理、およびデコードされた情報の復元などを行って、所定のフォーマットのバーコードがあるか否かを判断する。そして、制御部１０１は、所定フォーマットのバーコードがある場合には、原稿を著作物取り出しシートであると判断する一方、所定フォーマットのバーコードが存在しない場合（バーコードが全くない場合や異なるフォーマットのバーコードがある場合）には、著作物取り出しシートでないと判断する。そして、制御部１０１は、バーコードを復元して権利者サーバＵＲＩおよび著作物認識コードを取得する。
【００４４】
制御部１０１では、原稿が著作物取り出しシートでない場合には、通常の複写モードを実行して、スキャナユニット１０２で読み取った画像データを、プリンタユニット１０８で印刷する（ステップＳ１１）。
【００４５】
他方、制御部１０１は、原稿が著作物取り出しシートである場合には、特異動作モードを実行する（ステップＳ３〜ステップＳ９）。
【００４６】
まず、ステップＳ３では、制御部１０１は、読み取った原稿の著作物選択用記入欄▲４▼と操作選択用記入欄▲３▼のチェックなどのマークを検出して、選択された著作物の対象と、操作内容を認識する（ステップＳ３）。具体的には、制御部１０１は、操作選択用記入欄▲３▼と著作物選択用記入欄▲４▼の近傍の画像を切り出し、原本の対応する部分と比較して、マークされたか否かを検出する。なお、公知の手書き文字認識方法を使用してマークを検出することにしても良い。
【００４７】
つぎに、制御部１０１は、操作選択用記入欄▲３▼の検出結果に基づいて、利用者の承諾が必要であるか否かを判断する（ステップＳ４）。具体的には、図４において、著作権を侵害するアクセス（たとえば、操作選択用記入欄▲３▼で”ファイルとしてダウンロード”、”このプリンタで印刷（カラー）”、”隣のプリンタで印刷（モノクロ）”など）の場合には、使用料金が必要となるので利用者の許諾が必要と判断する一方、”このシートをダウンロード”や”このシートを複製印刷”などであれば、料金が不要であるため、利用者の許諾が不要と判断する。
【００４８】
上記ステップＳ４において、制御部１０１は、利用者の承諾が不要であると判断した場合には、特異動作モードから抜け、指定された内容の印刷を行い（ステップＳ１１）、当該フローを終了する。
【００４９】
他方、上記ステップＳ４において、制御部１０１は、利用者の承諾が必要であると判断した場合には、ユーザに、選択した著作物の使用を承諾するか否かを選択させるための使用許諾画面を表示部１０６に表示する（ステップＳ５）。
【００５０】
図７は、利用者許諾画面の一例を示す図である。同図に示す使用許諾画面では、”選択されたＣＤの歌詞カードは著作物です。本著作物を印刷やダウンロードするためには別途著作権料が加算されます。著作権料金は１件あたり、１００円です。”というメッセージと、「了承する」ボタンａと、「了承しない」ボタンｂが表示されている。利用者は、「了承する」ボタンａ、「了承しない」ボタンｂのいずれかを操作部１０５を操作して選択する。
【００５１】
この使用許諾画面に表示する内容は、図７に示す内容に限られるものではなく、他の内容を表示することにしても良い。尚、料金の課金に関しては、通常行われている複写料金に加算して徴収することにしても良い。
【００５２】
制御部１０１は、利用者許諾画面で、利用者により使用が許諾されたか否かを判断し（ステップＳ６）、使用が許諾されない場合には、当該フローを終了する一方、使用が許諾された場合には、バーコードの内容（権利者サーバのＵＲＩ（権利者情報）を解析し、著作物取り出しシート上に記載されている選択された著作物の認識コード（ＩＤ））に基づいて、著作物と接続先の権利者サーバを特定し、この権利者サーバと通信を確立した上で、利用者の情報（店舗情報やユーザ情報等）および利用者により選択された著作物の認識コード（ＩＤ）を送信して、著作物の認識コード（ＩＤ）に対応するデジタル化された著作物の送信を要求する（ステップＳ７）。
【００５３】
権利者サーバでは、通信制御部２０１が利用者情報、著作物の認識コード（ＩＤ）を受信すると（ステップＴ１）、制御部２０２は、著作物記憶部２０４から受信した著作物の認識コード（ＩＤ）に対応するデジタル化された著作物を検索して、通信制御部２０１を介して要求元（複写機）に送信する（ステップＴ２）。そして、制御部２０２は、受信した使用者情報と送信したデジタル化された著作物の著作物認識コード（ＩＤ）を対応させてアクセス情報記憶部２０５に記憶する（ステップＴ３）。これにより、権利者サーバでは、著作物の利用情報を把握できる。また、権利者サーバのアクセス情報記憶部２０５のデータは、店舗機器から参照できるようになっている。
【００５４】
上述の利用者の情報としては、店舗情報やユーザ情報がある。店舗情報は、複写機をおいている店舗を識別するための情報である。この店舗情報により、権利者サーバでは、どの店舗からアクセスされる回数が多いかを把握できる。サービス利用頻度により店舗で端末を増減することなどに利用できる。店舗情報は、複写機の記録媒体１０１ｃに登録しておけば良い。
【００５５】
ユーザ情報は、複写機を実際に操作している利用者の情報である。ユーザ情報は、予めユーザ登録などを行う必要があるが、一般的に行われているユーザ登録や認証の方法が適用できる。権利者サーバでは、このユーザ情報により、どの年代のどのような人が著作物を利用しているかを把握でき、著作者は、利用者層等を把握することができる。
【００５６】
複写機では、通信制御部１０７で、権利者サーバから送信されるデジタル化された著作物を受信すると（ステップＳ８）、制御部１０１は、ユーザにより選択された操作内容に従い、選択された内容がプリンタで印刷の場合には、デジタル化された著作物を紙に印刷出力し、選択された内容がファイルとしてダウンロードの場合には、フロッピーディスクドライブ１０９に挿入されているフロッピーディスクに、ダウンロードしたデジタル化された著作物をファイルとして書き込む（ステップＳ９）。
【００５７】
なお、デジタル化された著作物を紙に印刷する際には、当該印刷物のコピーを防止するためのマーク（文字や記号を含む）を併せて印刷することにしても良い。図８は、コピーを防止するためのマークの具体例を示している。同図（Ａ）〜（Ｄ）は、コピー防止マークを印刷した場合の例を示しており、同図（Ｅ）は、コピーを防止するためのバーコードを印刷した場合の例を示している。同図（Ｅ）の場合には、複写機では、このバーコードの印刷されている印刷物を複写する際に、スキャナで読み取った印刷物にこのバーコードがあるか否かを判断し、このバーコードがある場合に複写を禁止する。
【００５８】
なお、デジタル化された著作物に関しては、一般的に行われている方法でコピープロテクトなど施すことも可能であり、本プロテクトにより特に著作権を侵害する違法コピーを防止することが可能となる。
【００５９】
以上説明したように、実施の形態１によれば、複写機では、原稿を読み取り、読み取った原稿が、著作物取り出しシートであるか否かを判断し、著作物取り出しシートであると判断された場合に、当該著作物取り出しシートに印字されている著作物および当該著作物に対する操作内容を選択し、当該著作物取り出しシートに印字されているバーコードから権利者情報と著作物情報を取得し、権利者サーバからの著作物のダウンロードが必要な操作内容が選択された場合に、ユーザが、著作物の使用を許諾するか否かを選択するためのメッセージを表示し、ユーザが著作物の使用を許諾した場合に、権利元のサーバに、選択された著作物の著作物情報を送信して、著作物の送信を要求し、前記サーバは、前記画像形成装置から著作物の送信依頼を受けた場合に、受信した著作物情報に対応する著作物を検索して、前記画像形成装置に送信し、権利者サーバから送信されてくる著作物を印刷することとしたので、利用者は、著作物取り出しシートに記入するだけで所望のデジタル化された著作物を印字でき、また、著作権者は、著作物に対する違法コピーを防止でき、また、著作物の使用に対して課金を行うことが容易となる。
【００６０】
また、著作物取り出しシートには、当該著作物取り出しシートに印字されている著作物を選択するための著作物記入欄および当該著作物に対する操作内容を選択するための操作内容記入欄が印字されており、利用者は、著作物選択欄および操作内容記入欄に記入して、著作物と著作物に対する操作内容を選択することとしたので、利用者への選択ユーザインターフェースとして印刷物そのものを利用することで、ユーザは、簡単な作業で著作物の印刷等を行うことが可能となる。
【００６１】
また、著作物取り出しシートには、著作権元が複写許可する範囲の著作物のコンテンツを印刷することとしたので、コンテンツの一部を公開することで宣伝活動を行うことができる。他方、利用者は、著作物の内容を把握することができる。
【００６２】
また、複写機では、著作物の利用を行う場合に、利用者の情報（店舗情報やユーザ情報等）を権利者サーバに送信し、権利者サーバでは、利用者情報および著作物ＩＤをデータベース（アクセス情報記憶部２０５）に登録することとしたので、著作者およびシステムを管理する者が、利用される地域や場所、更にはユーザ層を把握でき、把握した情報を元に端末数を変更したり、アクセススピードを改善するなどの処理を行うことができ、これにより、利用者に対する利便性を向上させることが可能になる。
【００６３】
また、複写機では、デジタル化された著作物を印刷する場合に、コピー防止マークを印刷することとしたので、利用者に著作物の違法コピーに対する忠告を示せるとともに、違法コピーを排除することが可能となる。
【００６４】
また、複写機では、デジタル化された著作物を印刷する場合に、複写を防止するためのバーコードを印刷することとしたので、違法コピーを排除することが可能となる。
【００６５】
（実施の形態２）
実施の形態２の著作物の複写システムを図９〜図１１を参照して説明する。実施の形態２では、複写機のコントロールパネルや店舗端末のコンソール画面で、利用者が、著作物と操作内容を選択する場合を説明する。実施の形態１では、著作物取り出しシートの操作選択用記入欄▲３▼と著作物選択用記入欄▲４▼で、利用者が著作物とその操作内容を選択することとしたが、実施の形態２では、著作物取り出しシートの操作選択用記入欄▲３▼と著作物選択用記入欄▲４▼を削除して、バーコードに著作物や操作内容の選択を自動的に行うための処理コードを付加しておき、複写機で、処理コードに基づいて選択画面を表示する。
【００６６】
実施の形態２では、著作物の複写システム、複写機、権利者サーバの構成は実施の形態１（図１、図２、図３）と同様な構成であるので、その説明は省略する。
【００６７】
図９は、実施の形態２における著作物取り出しシートの一例を示す図である。同図に示す著作物取り出しシートは、実施の形態１の著作物取り出しシート（図４参照）において、操作選択用記入欄▲３▼と著作物選択用記入欄▲４▼を削除して、バーコード▲１▼に、著作物の選択や操作内容の選択画面を表示するための処理コードを付加したものである。
【００６８】
図１０は、図９の著作物取り出しシートに印刷されるバーコード▲１▼のフォーマット例を示している。図１０に示すバーコードは、権利者サーバのＵＲＩ、印刷物の構成情報（著作物選択枠処理コードおよび操作選択枠処理コード）、著作物認識コード（ＩＤ）からなる。
【００６９】
図１１を参照して、実施の形態２における著作物の複写システムにおいて、図８の著作物取り出しシートを使用して、複写機１１で著作物の印刷を行う場合を説明する。図１１は、実施の形態２における著作物の複写システムにおいて、図９の著作物取り出しシートを使用して、複写機１１で著作物の印刷を行う場合を説明するためのフローチャートである。図１１において、図６のフローチャートと同一の処理を行うステップについては同一のステップ番号を付しており、その説明は省略し、異なる処理を行うステップ（ステップＳ２１、Ｓ２２）についてのみ説明する。
【００７０】
図１１において、ステップＳ２１では、複写機の制御部１０１は、著作物取り出しシートのバーコードに、著作物選択枠処理コードおよび操作選択枠処理コードがある場合には、著作物選択枠処理コードおよび操作選択枠処理コードをデコードして、ユーザに当該著作物取り出しシートに印字されている著作物および当該著作物に対する操作内容を選択するための選択画面（著作物選択枠や操作選択枠）を表示部１０６に表示する。ユーザは、操作部１０５を操作してこの選択画面で著作物および当該著作物に対する操作内容を選択する。そして、制御部１０１は、選択画面で選択された操作内容は利用者の承諾が必要か否かを判断して（ステップＳ２２）、利用者の承諾が必要でない場合には、ステップＳ１１に移行する一方、利用者の承諾が必要である場合には、ステップＳ５に移行する。
【００７１】
なお、バーコードに上記処理コードを設ける代わりに、著作物取り出しシートに対応する選択画面を権利者サーバからダウンロードして表示する構成を採用することにしても良い。
【００７２】
上記した実施の形態２によれば、著作物取り出しシートのバーコードに、当該著作物取り出しシートに印字されている著作物および当該著作物に対する操作内容の選択画面を表示するための処理コード（著作物選択枠処理コードおよび操作選択枠処理コード）を印字しておき、複写機の制御部は、処理コードに基づいて、ユーザに当該著作物取り出しシートに印字されている著作物および当該著作物に対する操作内容を選択するための選択画面を表示部に表示し、当該選択画面でユーザにより選択される著作物および当該著作物に対する操作内容を選択することとしたので、バーコードの処理コードをデコードするだけで、簡単に選択画面を表示することが可能となる。付言すると、様々な印刷形態（レイアウトや内容）が存在する印刷物固有の情報管理をバーコードで行うことが可能となる。
【００７３】
（実施の形態３）
実施の形態３の著作物の複写システムを図１２および図１３を参照して説明する。実施の形態１では、店舗から、直接、権利者サーバから著作物のファイル等をダウンロードする構成であるが、実施の形態３では、店舗で、中継業者を介して著作物を取得する場合について説明する。実施の形態３では、複写機、権利者サーバの構成は実施の形態１（図２、図３）と同様な構成であるので、その説明は省略する。
【００７４】
図１２は、実施の形態３にかかる著作物の複写システムの構築例を示す図である。図１２に示す著作物の複写システムでは、図１の著作物の複写システムに、中継業者を追加したものである。図１２において、３は、中継業者を示しており、中継業者３は中継サーバ３１を備え、店舗１と権利業者２の中継を行う。
【００７５】
図１３は、実施の形態３の著作権取り出しシートに印刷されるバーコードのフォーマット例を示している。図１３に示すバーコードは、権利者サーバのＵＲＩ、中継サーバのＵＲＩ、および印刷物自体のＩＤを含んでいる。著作物取り出しシートのフォーマットは、図６と同様である。
【００７６】
まず、複写機では、著作物取り出しシートを読み取り、バーコードに記載されている中継サーバのＵＲＩに基づいて、中継業者が管理する中継サーバと通信を確立し、バーコードに記載されている印刷物のＩＤと利用者が選択した著作物を送信する。中継サーバは、これらの情報に基づいて、利用者が選択した著作物を内部で管理している印刷物の構成情報から特定し、この情報を権利者サーバに送信する。権利者サーバは送信された情報に基づいて、デジタル化された著作物を複写機に送信する。
【００７７】
なお、上記した実施の形態３では、中継サーバが、権利者サーバとの接続を行うので、著作権読み取りシートのバーコードの権利者サーバのＵＲＩは必ずしも必要ではない。
【００７８】
実施の形態３によれば、複写機では印刷物のＩＤと利用者が選択した著作物を中継サーバに送信するのみで、所望のデジタル化された著作物をダウンロードすることができ、複写機の処理を低減することが可能となる。
【００７９】
なお、本発明は、上記した実施の形態に限定されるものではなく、発明の要旨を変更しない範囲で適宜変形して実行可能である。
【００８０】
上記した実施の形態１〜３では、店舗機器として、複写機を例に挙げて動作を説明したが、店舗端末でも同様の処理を行うことが可能である。この場合、店舗端末は、著作物取り出しシートの読み取りを、不図示のスキャナや複写機のスキャナユニットで行い、スキャナで読み取られた著作物取り出しシートの画像データを入力し、このデータに対して上述の複写機と同様の処理を行い、ダウンロードしたデジタル化された著作物を、不図示のプリンタや複写機のプリンタユニットから出力する。
【００８１】
【発明の効果】
以上説明したように、本発明にかかる著作物の複写システムによれば、画像形成装置では、判断手段は、原稿を読み取り、読み取った原稿が、著作物取り出しシートであるか否かを判断し、選択手段は、判断手段により著作物取り出しシートであると判断された場合に、当該著作物取り出しシートに印字されている著作物および当該著作物に対する操作内容を選択し、バーコード情報取得手段は、当該著作物取り出しシートに印字されているバーコードから著作物を管理しているサーバを特定するための権利者情報および著作物を識別するための著作物情報を取得し、許諾画面表示手段は、選択手段によりサーバから著作物のダウンロードが必要な操作内容が選択された場合に、ユーザが著作物の使用を許諾するか否かを選択するための許諾画面を表示し、依頼手段は、ユーザが許諾画面で著作物の使用を許諾した場合に、権利者情報で特定されるサーバに、選択手段で選択された著作物の著作物情報を送信して、著作物の送信を依頼し、印刷手段は、依頼に応じて、権利者情報で特定されるサーバから送信されてくるデジタル化された著作物を印刷し、他方、サーバは、画像形成装置から著作物の送信依頼を受けた場合に、受信した著作物情報に対応するデジタル化された著作物を検索して、画像形成装置に送信することとしたので、利用者は、著作物取り出しシートに記入するだけで所望のデジタル化された著作物を印字でき、また、著作権者は、著作物に対する違法コピーを防止でき、また、著作物の使用に対して課金を行うことが容易となる。
【００８２】
また、本発明にかかる著作物の複写システムによれば、著作物取り出しシートに、当該著作物取り出しシートに印字されている著作物および当該著作物に対する操作内容を選択するための記入欄を印字しておき、画像形成装置の選択手段は、著作物取り出しシートの記入欄の記入を検出して、著作物および当該著作物に対する操作内容を選択することとしたので、請求項１にかかる発明の効果に加えて、利用者への選択ユーザインターフェースとして印刷物そのものを利用することで、利用者は簡単な作業で著作物を印刷することが可能となる。
【００８３】
また、本発明にかかる著作物の複写システムによれば、著作物取り出しシートのバーコードに、当該著作物取り出しシートに印字されている著作物および当該著作物に対する操作内容を選択する選択画面を表示するための処理コードを印字しておき、画像形成装置の選択手段は、前記処理コードに基づいて、ユーザに当該著作物取り出しシートに印字されている著作物および当該著作物に対する操作内容を選択するための選択画面を前記表示手段に表示し、当該選択画面でユーザにより選択される著作物および当該著作物に対する操作内容を選択することとしたので、請求項１にかかる発明の効果に加えて、バーコードの処理コードをデコードするだけで、簡単に選択画面を表示することが可能となる。
【００８４】
また、本発明にかかる画像形成装置によれば、判断手段は、原稿を読み取り、読み取った原稿が、著作物取り出しシートであるか否かを判断し、選択手段は、判断手段により著作物取り出しシートであると判断された場合に、当該著作物取り出しシートに印字されている著作物および当該著作物に対する操作内容を選択し、バーコード情報取得手段は、当該著作物取り出しシートに印字されているバーコードから著作物を管理しているサーバを特定するための権利者情報および著作物を識別するための著作物情報を取得し、許諾画面表示手段は、選択手段によりサーバから著作物のダウンロードが必要な操作内容が選択された場合に、ユーザが著作物の使用を許諾するか否かを選択するための許諾画面を表示し、依頼手段は、ユーザが前記許諾画面で著作物の使用を許諾した場合に、権利者情報で特定されるサーバに、選択手段で選択された著作物の著作物情報を送信して、著作物の送信を依頼し、印刷手段は、依頼に応じて、権利者情報で特定されるサーバから送信されてくるデジタル化された著作物を印刷することとしたので、利用者は、著作物取り出しシートに記入するだけで所望のデジタル化された著作物を印字でき、また、著作権者は、著作物に対する違法コピーを防止でき、また、著作物の使用に対して課金を行うことが容易となる。
【００８５】
また、本発明にかかる画像形成方法によれば、原稿を読み取り、読み取った原稿が、著作物取り出しシートであるか否かを判断し、著作物取り出しシートであると判断された場合に、当該著作物取り出しシートに印字されている著作物および当該著作物に対する操作内容を選択し、当該著作物取り出しシートに印字されているバーコードから著作物を管理しているサーバを特定するための権利者情報および著作物を特定するための著作物情報を取得し、サーバからの著作物のダウンロードが必要な操作内容が選択された場合に、ユーザが、著作物の使用を許諾するか否かを選択するための許諾画面を表示し、ユーザが著作物の使用を許諾した場合に、権利者情報で特定されるサーバに、選択された著作物の著作物情報を送信して、著作物の送信を依頼し、依頼に応じて、権利者情報で特定されるサーバから送信されてくるデジタル化された著作物を印刷することとしたので、利用者は、著作物取り出しシートに記入するだけで所望のデジタル化された著作物を印字でき、また、著作権者は、著作物に対する違法コピーを防止でき、また、著作物の使用に対して課金を行うことが容易となる。
【００８６】
また、本発明にかかるコンピュータが実行するためのプログラムによれば、原稿を読み取り、読み取った原稿が、著作物取り出しシートであるか否かを判断する工程と、著作物取り出しシートであると判断された場合に、当該著作物取り出しシートに印字されている著作物および当該著作物に対する操作内容を選択する工程と、当該著作物取り出しシートに印字されているバーコードから著作物を管理しているサーバを特定するための権利者情報と著作物を識別するための著作物情報を取得する工程と、サーバからの著作物のダウンロードが必要な操作内容が選択された場合に、ユーザが、著作物の使用を許諾するか否かを選択するための選択画面を表示する工程と、ユーザが著作物の使用を許諾した場合に、権利者情報で特定されるサーバに、選択された著作物の著作物情報を送信して、著作物の送信を依頼する工程と、依頼に応じて、権利者情報で特定されるサーバから送信されてくるデジタル化された著作物を受信して印刷する工程と、をコンピュータがプログラムを実行して実現することとしたので、利用者は、著作物取り出しシートに記入するだけで所望のデジタル化された著作物を印字でき、また、著作権者は、著作物に対する違法コピーを防止でき、また、著作物の使用に対して課金を行うことが容易となる。
【図面の簡単な説明】
【図１】実施の形態１にかかる著作物の複写システムの構築例を示す図である。
【図２】図１の複写機のハード構成を示すブロック図である。
【図３】図１の権利者サーバの構成を示すブロック図である。
【図４】実施の形態１の著作物取り出しシートの一例を示す図である。
【図５】図４のバーコードのフォーマットの一例を示す図である。
【図６】実施の形態１にかかる著作物の複写システムの動作を説明するためのフローチャートである。
【図７】許諾画面の一例を示す図である。
【図８】印刷物の一例を示す図である。
【図９】実施の形態２の著作物取り出しシートの一例を示す図である。
【図１０】図９のバーコードの一例を示す図である。
【図１１】実施の形態２にかかる著作物の複写システムの動作を説明するためのフローチャートである。
【図１２】実施の形態３にかかる著作物の複写システムの構築例を示す図である。
【図１３】実施の形態３のバーコードの一例を示す図である。
【符号の説明】
１      店舗
２      権利業者
１１、１２  複写機
１３    店舗端末
２１、２２、２３  権利者サーバ
１０１  制御部
１０２  スキャナユニット
１０３  ＤＲＡＭ
１０５  操作部
１０６  表示部
１０７  通信制御部
１０８  プリンタユニット
１０９  フロッピーディスクドライブ
２０１  通信制御部
２０２  制御部
２０３  プログラム記憶部
２０４  著作物記憶部
２０５  アクセス情報記憶部
【図１】
0004731762.tif 000002
【図２】
0004731762.tif 000003
【図３】
0004731762.tif 000004
【図４】
0004731762.tif 000005
【図５】
0004731762.tif 000006
【図６】
0004731762.tif 000007
【図７】
0004731762.tif 000008
【図８】
0004731762.tif 000009
【図９】
0004731762.tif 000010
【図１０】
0004731762.tif 000011
【図１１】
0004731762.tif 000012
【図１２】
0004731762.tif 000013
【図１３】
0004731762.tif 000014